(57)【要約】【課題】  部品点数が少なく小型化・薄型化が可能ながらも、キートップが押し易いキーボード及びキーボードを備える電子機器を提供する。【解決手段】  基板４７と、基板上に配置されたキートップ４２と、キートップから伸び、先端部４３ｄが基板に取り付けられ、基板に直交する平面内において回転可能にされたリンク４３と、キートップを基板から離間する方向へ付勢する付勢部材４６とを備え、キートップが打鍵された際に付勢部材の付勢力に抗してキートップが基板側へ移動し、基板内に組み込まれたスイッチ４８ａを押圧操作するキーボード４０であって、リンクの先端部が、上方から見てキートップの基板への投影領域Ｓ以外にある。【選択図】  図５
2009059647.tif 000002
【特許請求の範囲】
【請求項１】
基板と、該基板上に配置されたキートップと、該キートップから伸び、先端部が前記基板に取り付けられ、該基板に直交する平面内において回転可能にされたリンクと、前記キートップを前記基板から離間する方向へ付勢する付勢部材とを備え、前記キートップが打鍵された際に前記付勢部材の付勢力に抗して該キートップが前記基板側へ移動し、該基板内に組み込まれたスイッチを押圧操作するキーボードであって、
前記リンクの前記先端部が、上方から見て前記キートップの前記基板への投影領域以外にあることを特徴とするキーボード。
【請求項２】
請求項１に記載のキーボードにおいて、
前記リンクの基端部が、前記キートップの裏面中央よりも前記リンクの前記先端部側へ偏った位置に取り付けられることを特徴とするキーボード。
【請求項３】
請求項２に記載のキーボードにおいて、
前記付勢部材が、前記キートップの裏面であって前記リンクの前記基端部が取り付けられている位置とは逆側に当接可能に配置されることを特徴とするキーボード。
【請求項４】
請求項１から請求項３のいずれかに記載のキーボードにおいて、
前記リンクが、一つの前記キートップに対して左右一対設けられていることを特徴とするキーボード。
【請求項５】
請求項１から請求項４のいずれかに記載のキーボードにおいて、
前記リンクの前記先端部側に当接し、該リンクの前記基板に対する傾斜角が所定角度以上に広がるのを規制する第一のストッパーを備えることを特徴とするキーボード。
【請求項６】
請求項１から請求項５のいずれかに記載のキーボードにおいて、
前記リンクは、前記基端部が前記キートップに回転可能に取り付けられることを特徴とするキーボード。
【請求項７】
請求項６に記載のキーボードにおいて、
前記リンクの基端部側に当接し、該リンクの前記キートップの天面に対する傾斜角が所定角度以下に狭まるのを規制する第二のストッパーを備えることを特徴とするキーボード。
【請求項８】
請求項１から請求項５のいずれかに記載のキーボードにおいて、
前記リンクは、前記基端部が前記キートップに固定されることを特徴とするキーボード。
【請求項９】
請求項１から請求項８のいずれかに記載のキーボードを備えることを特徴とする電子機器。
【発明の詳細な説明】
【技術分野】
【０００１】
本発明は、キーボード及びキーボードを備える電子機器に関するものである。
【背景技術】
【０００２】
電子機器にはキーボードが用いられているが、電子機器の小型化に伴って、キーボードも操作性を確保しながらより小型なものが求められて、種々の構造が検討されている。
【０００３】
その１つの構造として、特許文献１に示された図９の構造が知られている。図９においてキースイッチ（キー）１４１は、指先で打鍵されるキートップ１４２と、キートップ１４２を回転させるリンク（シャフト）１４３とからなる。そしてキースイッチ１４１は、キートップ１４２を上方に付勢するメンブレンスイッチ１４６と内部に電気接点を有する基板１４７の上方に配置されている。
【０００４】
基板１４７には軸受部１４７ａ、１４７ａが設けられ、一方キートップ１４２には、基端部１４２ｄの下部に軸受部１４２ａ、１４２ａが、先端部１４２ｅの下部に軸受部１４２ｂ、１４２ｂがそれぞれ設けられている。
【０００５】
線材又は管材等を四角に折り曲げて成形されたリンク１４３は、上端部１４３ａの両端が軸受部１４２ｂ、１４２ｂに回動可能に軸着され、一方リンク１４３の下端部１４３ｂの両端が軸受部１４２ａ、１４２ａ及び１４７ａ、１４７ａに軸支されて、キートップ１４２の回動支点を形成している。
【０００６】
そしてキートップ１４２の先端部１４２ｅが指先で打鍵されると、キートップ１４２はリンク１４３の下端部１４３ｂを中心にピアノの鍵盤のように一方向に回動する構造（以下、「ピアノタッチ構造」と称する）になっており、先端部１４２ｅの下部に設けられた垂設部１４２ｃがメンブレンスイッチ１４６の弾性変形部１４６ａを押圧することで、スイッチ操作が行われる。
【０００７】
このピアノタッチ構造では、キーボードのキーの部品数を抑え、キーを小型にすることができる。
【０００８】
また他の構造として、上記のピアノタッチ構造のキートップの下方の構造を、互いに直交する２方向に設けてキートップを支持する構造（以下、「パンタグラフ構造」と称する）が知られている（たとえば、特許文献２参照）。
【０００９】
このパンタグラフ構造では、指先で打鍵される際に、キートップの天面を平行に押下げることができる。
【特許文献１】特開２００５−９３１２９号公報
【特許文献２】特開平１１−３９９８６号公報
【発明の開示】
【発明が解決しようとする課題】
【００１０】
しかしながら、従来のピアノタッチ構造のキーボードでは、キートップを押下げてもキートップが回転するので、キートップの押し易さは悪かった。この理由は、キートップは一般的にその天面中央部近傍を指先で打鍵されるが、従来のピアノタッチ構造のキーボードでは、キートップを押下げるときの、キートップの指先で打鍵する部分が回転する半径が、キートップの幅より短くなるためである。
【００１１】
また、パンタグラフ構造のキーボードでは、構造が複雑であるため部品点数が多く、組立工数がかかっていた。また、パンタグラフ構造のキーボードでは、薄型化が困難であった。
【００１２】
本発明は、このような問題点に鑑みてなされたものであって、部品点数が少なく小型化・薄型化が可能ながらも、キートップが押し易いキーボード及びキーボードを備える電子機器を提供するものである。
【課題を解決するための手段】
【００１３】
上記課題を解決するために、この発明は以下の手段を提案している。
【００１４】
本発明のキーボードは、基板と、該基板上に配置されたキートップと、該キートップから伸び、先端部が前記基板に取り付けられ、該基板に直交する平面内において回転可能にされたリンクと、前記キートップを前記基板から離間する方向へ付勢する付勢部材とを備え、前記キートップが打鍵された際に前記付勢部材の付勢力に抗して該キートップが前記基板側へ移動し、該基板内に組み込まれたスイッチを押圧操作するキーボードであって、前記リンクの前記先端部が、上方から見て前記キートップの前記基板への投影領域以外にあることを特徴としている。
【００１５】
本発明のキーボードは、キートップを指先で打鍵し押下げたときに、キートップがリンク先端位置を中心に回転移動する。リンクの先端部は、上方から見てキートップの基板への投影領域以外にあるので、リンクの先端部からキートップの天面中央部までの距離を長くすることができる。このため、キートップが略平行に押下げられ、キートップを押し易くすることができる。
【００１６】
また、一方向にのみ回動するピアノタッチ構造と同じ部品構成なので、キーボードの部品点数を少なくし、キーボードを小型化・薄型化することができる。
【００１７】
また、上記のキーボードにおいて、前記リンクの基端部が、前記キートップの裏面中央よりも前記リンクの前記先端部側へ偏った位置に取り付けられることがより好ましいとされている。
【００１８】
この発明に係るキーボードによれば、同じ長さのリンクがキートップの裏面中央よりもリンクの先端部とは逆側へ偏った位置に取り付けられる場合に比較して、リンクの先端部からキートップの天面中央部までの距離を長くすることができる。キートップはリンクの先端部を中心に回転移動するので、キートップがより平行に押下げられ、キートップをより押し易くすることができる。
【００１９】
また、上記のキーボードにおいて、前記付勢部材が、前記キートップの裏面であって前記リンクの前記基端部が取り付けられている位置とは逆側に当接可能に配置されることがより好ましいとされている。
【００２０】
この発明に係るキーボードによれば、リンクと付勢部材の配置位置が干渉しないので、キーボードの設計を容易にすることができる。
【００２１】
また、上記のキーボードにおいて、前記リンクが、一つの前記キートップに対して左右一対設けられていることがより好ましいとされている。
【００２２】
この発明に係るキーボードによれば、指先で打鍵する位置がキートップの天面中央部近傍からリンクが配置される方向に直交する方向にずれても、押下げるときにキートップが傾かない。したがって、キートップをより押し易くすることができる。
【００２３】
また、上記のキーボードにおいて、前記リンクの前記先端部側に当接し、該リンクの前記基板に対する傾斜角が所定角度以上に広がるのを規制する第一のストッパーを備えることがより好ましいとされている。
【００２４】
この発明に係るキーボードによれば、第一のストッパーによりリンクの基板に対する傾斜角が所定角度以上に広がらないので、キートップがキーボードからめくれ上がるのを抑えることができる。
【００２５】
また、上記のキーボードにおいて、前記リンクは、前記基端部が前記キートップに回転可能に取り付けられることがより好ましいとされている。
【００２６】
この発明に係るキーボードによれば、キートップを指先で押下げるときに、キートップがリンクの先端部を中心に回転移動しても、キートップの天面を平行に押下げることができる。これにより、キートップをより押し易くすることができる。
【００２７】
また、上記のキーボードにおいて、前記リンクの基端部側に当接し、該リンクの前記キートップの天面に対する傾斜角が所定角度以下に狭まるのを規制する第二のストッパーを備えることがより好ましいとされている。
【００２８】
この発明に係るキーボードによれば、第二のストッパーによりリンクのキートップの天面に対する傾斜角が所定角度以下に狭まらないので、キートップがキーボードからめくれ上がるのを防止することができる。またキートップの天面のリンク側を押下げたときに、キートップが傾くのを抑えることができる。
【００２９】
また、上記のキーボードにおいて、前記リンクは、前記基端部が前記キートップに固定されることがより好ましいとされている。
【００３０】
この発明に係るキーボードによれば、キートップを指先で押下げるときのキートップのがたつきが無くなり、キートップをより押し易くすることができる。
【００３１】
また、本発明の電子機器は、上記のいずれかに記載のキーボードを備えることがより好ましいとされる。
【００３２】
この発明に係る電子機器によれば、電子機器の部品点数が少ないながらもキートップが押し易いキーボードを備えることができる。
【発明の効果】
【００３３】
本発明に係るキーボード及びキーボードを備える電子機器によれば、部品点数が少なく小型化・薄型化が可能ながらも、キートップが押し易いキーボード及びキーボードを備える電子機器を提供することができる。
【発明を実施するための最良の形態】
【００３４】
以下、本発明の実施例を図面に従って詳細に説明する。図１は本発明の電子辞書の第一実施形態の斜視図である。なお、以下の実施形態では、電子機器が電子辞書である場合を例にして説明するが、電子機器は電子辞書に限られるものでなく、電子翻訳機や電子計算機等でもよい。
【００３５】
図１に示すように、本実施形態の電子辞書１は、本体部３０、カバー部２０、ヒンジ部１０及び制御部６０で概略構成され、本体部３０とカバー部２０とがヒンジ部１０を介して回転自在に接続された、折り畳んで持ち運び可能な小型の電子機器である。
【００３６】
つまり、不使用時には本体部３０に対してカバー部２０を閉じるように回転させて折り畳み、薄型でコンパクトなサイズにして、例えばバックや衣類のポケット等に容易に収納することができるようになっている。また使用時には、本体部３０に対してカバー部２０を開くように回転させる。そして使用者の目線に合うようにカバー部２０の角度を調整でき、調整した角度でカバー部２０と本体部３０の位置を固定できる使い易い設計となっている。
【００３７】
本体部３０及びカバー部２０は、共にプラスチックや、アルミ、ステンレス等の金属材料により薄型の箱状に形成されている。このうち、カバー部２０には、後述するキーバッド（キーボード）４０で入力された各種の情報等を表示する液晶製の表示パネル２１が、略全面に亘って設けられている。
【００３８】
また、本体部３０の箱状に形成された本体ケース３３には、指先で押下げ可能な複数のキー４１が所定のキーボード配列で整列されたキーバッド４０と、やはり指先で押下げ可能な各種の機能ボタン３１及び複数のファンクションキー３２とがそれぞれ設けられている。
【００３９】
本第一実施形態のキーパッド４０は、複数のキー４１が図１に示す方向Ｘ２に沿って４列に並ぶと共に、方向Ｘ１にはキー４１が隣接するキー４１とずれるように並ぶ配列（以下、「千鳥配列」と称する）で配置されている。
【００４０】
また、本体部３０内には、図２に示すように、制御部６０、メモリ６１、充電池６２やスピーカ６３等が実装された回路基板６４が内蔵されている。そして制御部６０は、キーバッド４０の複数のキー４１やファンクションキー３２や機能ボタン３１が押下げられたときに回路基板６４を介して送られてくる信号に基づいて、表示パネル２１等の各構成品を総合的に制御して電子辞書１として各種機能を作動させるようになっている。
【００４１】
図３は本体部３０の、本体ケース３３と後述するキートップ４２の一部を取り除いた状態を示す平面図である。また、図４は図３における要部拡大図、図５は図３におけるＡ−Ａ線断面図、そして図６は図３におけるＢ−Ｂ線断面図である。
【００４２】
なお、キー４１は指先で図５における方向Ｙ１に押下げられるが、図３〜図６は、全てのキー４１が押下げられる前の状態にある。
【００４３】
図５に示すように、キーパッド４０は、指先で方向Ｙ１に押下げられ、指を離すと方向Ｙ２に移動して所定の位置まで戻るキー４１と、回路基板６４に信号を伝える基板４７とからなる。
【００４４】
そして、キー４１は、基板４７上に配置され指先で押下げられるキートップ４２と、先端部４３ｄが基板４７に回転可能に取り付けられ、さらに基端部４３ｅがキートップ４２に回転可能に取り付けられるシャフト４３と、キートップ４２を基板４７から離間する方向へ付勢するラバーキー４６と、シャフト４３の先端部４３ｄ側に当接し、シャフト４３の基板４７に対する傾斜角θ１が所定角度以上に広がるのを規制するストッパー４５と、シャフト４３及びストッパー４５を後述するアルミフレーム４９に固定するプラスチックフレーム４４とからなる。
【００４５】
シャフト４３は基板４７に直交する平面内において回転可能にされ、シャフト４３の先端部の回転中心を軸線Ｌ１とする。
【００４６】
また、基板４７は、内部に接点を備え回路基板６４に信号を伝えるメンブレンスイッチ４８と、メンブレンスイッチ４８を支持するアルミフレーム４９とで構成されている。
【００４７】
なお、特許請求の範囲のリンクがシャフト４３に、付勢部材がラバーキー４６に、第一のストッパーがストッパー４５に該当する。
【００４８】
特許請求の範囲の、キートップ４２の投影領域Ｓとは、図５に示すように、キートップ４２の外周から基板４７へ向けて垂直に伸ばした直線と基板４７との交わる点が囲む領域のことである。
【００４９】
図４に示すように、シャフト４３の先端部４３ｄは、本体部３０を上方から見て、キートップ４２の基板４７への投影領域Ｓ以外にあり、キートップ４２のヒンジ部１０側に配置されている。
【００５０】
また、図５に示すように、シャフト４３の基端部４３ｅは、キートップ４２の裏面中央よりもシャフト４３の先端部４３ｄ側へ偏った位置に取り付けられる。そしてラバーキー４６の後述する円筒部４６ａは、キートップ４２の裏面であってシャフト４３の基端部４３ｅが取り付けられている位置とは逆側に当接可能に配置される。
【００５１】
ラバーキー４６、メンブレンスイッチ４８及びアルミフレーム４９は、千鳥配列で配置された多数のキー４１の下方に、上下方向に重なるように配置される。
【００５２】
ラバーキー４６はゴム等の弾性体で形成される。そしてラバーキー４６には、それぞれのキートップ４２の下方に、キートップ４２を方向Ｙ２に付勢する円筒部４６ａと、自身が変形してキートップ４２を方向Ｙ２に付勢する力を発生させる薄肉部４６ｂと、薄肉部４６ｂが変形したときにメンブレンスイッチ４８を押す凸部４６ｃと、それぞれの薄肉部４６ｂを連結させるベース４６ｄとが設けられている。そして、凸部４６ｃの底面には接点が設けられている。
【００５３】
指先でキートップ４２を方向Ｙ１に押下げると、指先の力はキートップ４２及び円筒部４６ａを介して薄肉部４６ｂに伝わる。指先の力によって、キートップ４２及び円筒部４６ａは変形せず、薄肉部４６ｂだけが変形するように、薄肉部４６ｂの弾性体の厚さは薄くなっている。
【００５４】
メンブレンスイッチ４８には、ラバーキー４６のそれぞれの凸部４６ｃの下方に、接点部（スイッチ）４８ａが組み込まれている。
【００５５】
そして、指先でキートップ４２が方向Ｙ１に押下げられ、凸部４６ｃがメンブレンスイッチ４８を押圧すると、接点部４８ａとラバーキー４６の凸部４６ｃの底面の接点が接触して回路基板６４に信号を伝えることにより、制御部６０はキートップ４２が押下げられたことを認識する。
【００５６】
シャフト４３は、線材又は管材の両端部をコの字型に折り曲げて形成される。図４に示すように、シャフト４３の先端部４３ｄには先端シャフト４３ａが、基端部４３ｅには基端シャフト４３ｂが、先端シャフト４３ａと基端シャフト４３ｂを連結させる部分には連結シャフト４３ｃが設けられている。そして左右一対の先端シャフト４３ａ及び基端シャフト４３ｂはそれぞれが同一軸線を有するように配置される。
【００５７】
なお、本実施形態では、一つのキートップ４２に対して設けられた左右一対の基端シャフト４３ｂが一体化し、左右一対のシャフト４３全体が一本に結合された構成になっている。しかし、シャフト４３として左右に分離したものを一対用いてもよいし、基端シャフト４３ｂでなく先端シャフト４３ａが一体化し、左右一対のシャフ４３全体が一本に結合された構成になっているものを用いてもよい。
【００５８】
また、ストッパー４５は、直線状の線材又は管材を切断して形成されたり、又は射出成形等による樹脂部品で形成されたりする。
【００５９】
プラスチックフレーム４４は射出成形等による樹脂部品であり、アルミフレーム４９に固定されている。そして、プラスチックフレーム４４には、ラバーキー４６のベース４６ｄをアルミフレーム４９に固定するラバーキー固定部４４ａ、４４ａと、先端シャフト４３ａを回転可能に支持するシャフト固定部４４ｂ、４４ｂと、ストッパー４５の両端を固定するストッパー固定部４４ｃ、４４ｃとがそれぞれ設けられている。
【００６０】
ただし、図４に示すように、一つのキートップ４２に回転可能に取り付けられたシャフト４３の左右一対の先端シャフト４３ａが回転可能に取り付けられるプラスチックフレーム４４（以下、「キートップ４２がリンクするプラスチックフレーム４４」と称する）は、キートップ４２の下方に配置されたプラスチックフレーム４４ではない。前述したようにキーパッド４０は、複数のキー４１が方向Ｘ２に沿って４列に並び、キー４１は千鳥配列に配置されている。そして一つのキートップ４２がリンクするプラスチックフレーム４４は、そのキートップ４２が並ぶ列の一列ヒンジ部１０側の列の、そのキートップ４２に隣り合う二つのキートップ４２の下方の二つのプラスチックフレーム４４である。
【００６１】
このため、方向Ｘ２に沿って４列に並ぶキー４１の列のうち、最もヒンジ部１０に近い列のキートップ４２がリンクするプラスチックフレーム４４の上方にはキートップ４２は無い。このプラスチックフレーム４４の上方に、ファンクションキー３２や機能ボタン３１を配置してもよい。
【００６２】
また、最もヒンジ部１０から遠い列のキートップ４２の下方のプラスチックフレーム４４にはシャフト４３が取り付かないし、このプラスチックフレーム４４にはストッパー４５も取り付かない。
【００６３】
図５に示すように、プラスチックフレーム４４のシャフト固定部４４ｂ、４４ｂに先端シャフト４３ａを回転可能に固定すると、シャフト４３は軸線Ｌ１を中心に回転可能となる。上述したように図５は、全てのキー４１が押下げられる前の状態にあるが、この時にシャフト４３の連結シャフト４３ｃ、４３ｃはストッパー４５に当接している。
【００６４】
このため、傾斜角θ１は図５に示す所定角度以上に広がらないように構成されている。すなわち、図５において、シャフト４３は軸線Ｌ１を中心に方向Ｄ１には回転可能であるが、方向Ｄ２にはこれ以上回転しない。
【００６５】
図６に示すように、キートップ４２には、基端シャフト４３ｂを回転可能に支持する軸受部４２ａ、４２ａと、シャフト４３のキートップ４２の天面４２ｄに対する傾斜角θ２が所定角度以下になるのを規制する係止部４２ｂ、４２ｂと、キートップ４２に連結シャフト４３ｃ、４３ｃが干渉するのを防止する切欠部４２ｃ、４２ｃとが設けられている。キー４１が押下げられる前の状態にあるときに、第二のストッパーである係止部４２ｂ、４２ｂはキートップ４２の下側の連結シャフト４３ｃ、４３ｃに当接するように、２カ所に配置されている。
【００６６】
キートップ４２の軸受部４２ａ、４２ａに基端シャフト４３ｂが回転可能に固定されると、シャフト４３を基準にして、キートップ４２は軸線Ｌ２を中心に回転可能となる。この時に図５に示す全てのキー４１が押下げられる前の状態では、連結シャフト４３ｃ、４３ｃは係止部４２ｂ、４２ｂに当接している。
【００６７】
このため、傾斜角θ２は、図５に示す所定角度以下に狭まらないように構成されている。キートップ４２は、図５に示す位置から、軸線Ｌ２を中心に方向Ｅ１には回転可能であるが、方向Ｅ２にはこれ以上回転しない。
【００６８】
なお、軸線Ｌ１と軸線Ｌ２は平行になるように配置されている。
【００６９】
以上のように構成されているので、図７に示すように、キートップ４２を指先で方向Ｙ１に押下げるときには、キートップ４２の裏面であってシャフト４３の基端部４３ｅが取り付けられている位置とは逆側からのラバーキー４６の円筒部４６ａによる方向Ｙ２への付勢力に抗して、キートップ４２が基板４７側（方向Ｙ１）へ移動し、基板４７のメンブレンスイッチ４８内に組み込まれた接点部４８ａを押圧操作する。
【００７０】
そしてラバーキー４６による方向Ｙ２への付勢力を受けながら、キートップ４２はシャフト４３の軸線Ｌ２を中心に方向Ｅ１に回転し、シャフト４３は軸線Ｌ１を中心に、基板４７に直交する平面内において方向Ｄ１に回転する。
【００７１】
これにより、ラバーキー４６の薄肉部４６ｂだけが変形し、凸部４６ｃがメンブレンスイッチ４８の接点部４８ａを押圧する。そして、接点部４８ａとラバーキー４６の凸部４６ｃの底面の接点が接触して回路基板６４に信号を伝えることにより、制御部６０はキートップ４２が押下げられたことを認識する。
【００７２】
こうして本発明の電子辞書１の第一実施形態に係るキーパッド４０は、シャフト４３の先端部４３ｄが、上方から見てキートップ４２の基板４７への投影領域Ｓ以外にあるので、先端部４３ｄからキートップ４２の天面４２ｄ中央部までの距離を長くすることができる。このため、キートップ４２が略平行に押下げられ、キートップ４２を押し易くすることができる。
【００７３】
また、一方向にのみ回動するピアノタッチ構造と同じ部品構成なので、キーパッド４０の部品点数を少なくし、キーパッド４０を小型化・薄型化することができる。
【００７４】
そして、シャフト４３の基端部４３ｅが、キートップ４２の裏面中央よりもシャフト４３の先端部側へ偏った位置に取り付けられる。このため、同じ長さのシャフト４３がキートップ４２の裏面中央よりも先端部４３ｄとは逆側へ偏った位置に取り付けられる場合に比較して、先端部４３ｄから天面４２ｄ中央部までの距離を長くすることができる。したがって、キートップ４２がより平行に押下げられ、キートップ４２をより押し易くすることができる。
【００７５】
キートップ４２は、裏面中央よりもシャフト４３の先端部４３ｄ側をシャフト４３の基端部４３ｅで支持され、裏面中央よりもシャフト４３の基端部４３ｅが取り付けられている位置とは逆側にはラバーキー４６の円筒部４６ａが当接可能に配置されている。これにより、シャフト４３とラバーキー４６の配置位置が干渉しないので、キーパッド４０の設計を容易にすることができる。
【００７６】
また、一つのキートップ４２に対して、左右一対のシャフト４３が基端シャフト４３ｂで連結され全体が一本に結合されたシャフト４３が設けられている。このため、指先で打鍵する位置が天面４２ｄ中央部から方向Ｘ２にずれても、キートップ４２が傾かない。したがって、キートップ４２をより押し易くすることができる。
【００７７】
シャフト４３は、基端部４３ｅがキートップ４２の軸受部４２ａに回転可能に取り付けられる。これにより、キートップ４２を指先で押下げるときに、キートップ４２が軸線Ｌ１を中心に回転移動しても、天面４２ｄを平行に押下げることができる。したがって、キートップ４２をより押し易くすることができる。
【００７８】
キーパッド４０は、シャフト４３の先端部４３ｄ側に当接し、シャフト４３の基板４７に対する傾斜角θ１が所定角度以上に広がるのを規制するストッパー４５を備える。したがって、キートップ４２がキーパッド４０からめくれ上がるのを抑えることができる。
【００７９】
そしてキートップ４２には、シャフト４３の基端部４３ｅ側に当接し、シャフト４３の天面４２ｄに対する傾斜角θ２が所定角度以下に狭まるのを規制する係止部４２ｂを備える。したがって、キートップ４２がキーパッド４０からめくれ上がるのを防止することができる。またキートップ４２の天面４２ｄのシャフト４３側を押下げたときに、キートップ４２が傾くのを抑えることができる。
【００８０】
図８は、本発明の電子辞書の第二実施形態の本体部３０の、本体ケース３３とキートップ４２の一部を取り除いた状態を示す平面図である。
【００８１】
なお説明の便宜上、本発明の第二実施形態において、前述の第一実施形態で説明した構成要素と同一の構成要素については同一符号を付して、その説明を省略する。
【００８２】
第二実施形態が第一実施形態との異なる点は、第一実施形態ではキー４１が千鳥配列で配置されているのに対し、第二実施形態では図８に示すように、キー４１が方向Ｘ２に沿って並ぶだけでなく、方向Ｘ１に沿っても並ぶ配列（以下、「碁盤目配列」と称する）で配置されていることである。
【００８３】
第二実施形態ではキー４１が碁盤目配列で配置されるために、キートップ４２がリンクするプラスチックフレーム４４は、そのキートップ４２の下方のプラスチックフレーム４４の隣接するヒンジ部１０側のプラスチックフレーム４４となる。
【００８４】
また、キー４１が碁盤目配列で配置されるために、第一実施形態とは、キートップ４２の切欠部４２ｃ、４２ｃの位置、ストッパー４５の長さ、プラスチックフレーム４４のシャフト固定部４４ｂ、４４ｂ及びストッパー固定部４４ｃ、４４ｃの形状が異なる。
【００８５】
以上、本発明の第一実施形態及び第二実施形態について図面を参照して詳述したが、具体的な構成はこの実施形態に限られるものではなく、本発明の要旨を逸脱しない範囲の設計変更等も含まれる。
【００８６】
例えば、上記第一実施形態及び第二実施形態において、以下のような設計変更が可能である。
【００８７】
上記第一実施形態及び第二実施形態では、シャフト４３の先端部４３ｄを、本体部３０を上方から見て、キートップ４２のヒンジ部１０側に配置した。しかし、先端部４３ｄは、本体部３０を上方から見て、キートップ４２の基板４７への投影領域Ｓ以外にあれば、キートップ４２のヒンジ部１０と反対側に配置されても、キートップ４２の方向Ｘ２側に配置されてもよい。
【００８８】
また、上記第一実施形態及び第二実施形態では、キートップ４２に係止部４２ｂ、４２ｂを設けたが、この係止部４２ｂ、４２ｂが無い構成にしてもよい。
【００８９】
また、上記第一実施形態及び第二実施形態では、シャフト４３は基端部４３ｅにおいてキートップ４２に回転可能に取り付けられるが、シャフト４３を基端部４３ｅにおいてキートップ４２に固定されるように構成してもよい。
【００９０】
キートップ４２を指先で押下げるときのキートップ４２のがたつきが無くなり、キートップ４２をより押し易くすることができる。
【００９１】
また、上記第一実施形態及び第二実施形態では、ストッパー４５は基板４７でなく、本体ケース３３等の他の部品に固定されていても良い。
【００９２】
また、上記第一実施形態及び第二実施形態では、シャフト４３の基板４７に対する傾斜角θ１が所定角度以上に広がるのを規制するストッパー４５を備えた。しかし、ストッパー４５が無い構成にして、プラスチックフレーム４４にストッパー４５に相当する形状を設けてもよい。
【００９３】
また、上記第一実施形態及び第二実施形態では、キートップ４２に係止部４２ｂが無い構成にして、シャフト４３に係止部４２ｂと同様の形状を設けてもよい。
【００９４】
また、上記第一実施形態及び第二実施形態では、キートップ４２がリンクするプラスチックフレーム４４を、そのキートップ４２の下方のプラスチックフレーム４４の隣接するヒンジ部１０側のプラスチックフレーム４４としたが、そのキートップ４２の下方のプラスチックフレーム４４からさらに離れたプラスチックフレーム４４を用いてもよい。
【００９５】
また、上記第一実施形態及び第二実施形態では、一つのキートップ４２に対して、左右一対のシャフト４３が基端シャフト４３ｂで連結され全体が一本に結合されたシャフト４３が設けられているとした。しかし、一つのキートップ４２に対して一つのシャフト４３が取り付けられている構成にしてもよい。この構成にしたときには、ラバーキー４６の円筒部４６の外形の円形状を、方向Ｘ２に伸長した楕円形状や長方形状等にして、指先で打鍵する位置が天面４２ｄ中央部から方向Ｘ２にずれても、キートップ４２が傾かないようにしてもよい。
【００９６】
また、上記第一実施形態及び第二実施形態では、ラバーキー４６の円筒部４６ａが、キートップ４２の裏面であってシャフト４３の基端部４３ｅが取り付けられている位置とは逆側に当接可能に配置されるとした。しかし、ラバーキー４６の円筒部４６ａが、キートップ４２の裏面中央よりも基端部４３ｅ側に当接可能に配置されてもよい。
【００９７】
また、上記第一実施形態及び第二実施形態では、シャフト４３の基端部４３ｅが、キートップ４２の裏面中央よりもシャフト４３の先端部４３ｄ側へ偏った位置に取り付けられるとした。しかし、シャフト４３の基端部４３ｅは、キートップ４２の裏面中央よりもシャフト４３の先端部４３ｄとは逆側へ偏った位置に取り付けられてもよい。
【図面の簡単な説明】
【００９８】
【図１】本発明の電子機器の第一実施形態を示す斜視図である。
【図２】本発明の電子機器の第一実施形態の機能ブロック図である。
【図３】本発明の電子機器の第一実施形態の本体部の本体ケースとキートップの一部を取り除いた状態を示す平面図である。
【図４】図３における要部拡大図である。
【図５】図３におけるＡ−Ａ線断面図である。
【図６】図３におけるＢ−Ｂ線断面図である。
【図７】図５におけるキートップを押下げた状態を示す断面図である。
【図８】本発明の電子機器の第二実施形態の本体部の本体ケースとキートップの一部を取り除いた状態を示す平面図である。
【図９】従来のキーボードを説明する断面図である。
【符号の説明】
【００９９】
１    電子辞書（電子機器）
４０  キーパッド（キーボード）
４２  キートップ
４２ｂ  係止部（第二のストッパー）
４３  シャフト（リンク）
４３ｄ  先端部
４３ｅ  基端部
４５  ストッパー（第一のストッパー）
４６  ラバーキー（付勢部材）
４７  基板
４８ａ  接点部（スイッチ）
Ｓ    投影領域
θ１  傾斜角
θ２  傾斜角
【図１】
2009059647.tif 000003
【図２】
2009059647.tif 000004
【図３】
2009059647.tif 000005
【図４】
2009059647.tif 000006
【図５】
2009059647.tif 000007
【図６】
2009059647.tif 000008
【図７】
2009059647.tif 000009
【図８】
2009059647.tif 000010
【図９】
2009059647.tif 000011